(57)【特許請求の範囲】
【請求項１】
発信者により指定されたデータボックスに受信データを蓄積する通信機能を有し、該データボックスへの蓄積に際してパスワード等のセキュリティ情報の入力を要する通信端末装置において、
前記発信者によりデータボックスの指定がない場合は、当該発信者からの受信データを予め設定されたルールに従って所定のデータボックスを選定する選定手段と、
前記選定手段により選定されたデータボックスへのアクセスの制限を解除して前記受信データを該データボックスに蓄積する蓄積処理手段と
を具備することを特徴とする通信端末装置。
【請求項２】
前記選定手段は、
前記発信者を識別する識別情報と該識別情報に対応するデータボックス番号とが対応付けられて登録された発信者対応テーブルを有し、前記発信者対応テーブルに基づき前記所定のデータボックスを選定する
ことを特徴とする請求項１記載の通信端末装置。
【請求項３】
前記選定手段は、
前記発信者対応テーブルに識別情報が登録されていない発信者からのデータを受信した場合若しくは識別情報が判別できない発信者からのデータを受信した場合は、予め設定された特定のデータボックスを選定する
ことを特徴とする請求項２記載の通信端末装置。
【請求項４】
前記選定手段は、
前記発信者対応テーブルに前記識別情報が登録されていない発信者からのデータを受信した場合若しくは識別情報が判別できない発信者からのデータを受信した場合は、前記所定のデータボックスを選定しない
ことを特徴とする請求項２記載の通信端末装置。
【請求項５】
前記選定手段は、
受信者を識別する識別情報と該識別情報に対応するデータボックス番号とが対応付けられて登録された受信者対応テーブルを有し、前記受信者対応テーブルに基づき前記所定のデータボックスを選定する
ことを特徴とする請求項１記載の通信端末装置。
【請求項６】
前記選定手段は、
前記受信者対応テーブルに識別情報が登録されていない受信者へのデータを受信した場合若しくは識別情報が判別できない受信者へのデータを受信した場合は、予め設定された特定のデータボックスを選定する
ことを特徴とする請求項５記載の通信端末装置。
【請求項７】
前記選定手段は、
前記受信者対応テーブルに識別情報が登録されていない受信者へのデータを受信した場合若しくは識別情報が判別できない受信者へのデータを受信した場合は、前記所定のデータボックスを選定しない
ことを特徴とする請求項５記載の通信端末装置。
【請求項８】
前記選定手段は、
前記発信者を識別する識別情報と該識別情報に対応するデータボックス番号とが対応付けられて登録された発信者対応テーブルと、
受信者を識別する識別情報と該識別情報に対応するデータボックス番号とが対応付けられて登録された受信者対応テーブルと
を具備し、
前記発信者対応テーブルに基づき第１のデータボックスを選定するとともに、前記受信者対応テーブルに基づき第２のデータボックスを選定し、
前記蓄積処理手段は、
前記選定手段により選定された前記第１のデータボックスおよび前記第２のデータボックスにそれぞれ同一の受信データを蓄積する
ことを特徴とする請求項１記載の通信端末装置。
【請求項９】
前記蓄積処理手段は、
前記第１データボックスと前記第２のデータボックスが同一であった場合は、同一の受信データは１つだけ蓄積する
ことを特徴とする請求項８記載の通信端末装置。
【請求項１０】
前記選定手段は、
前記発信者を識別する発信者識別情報と、受信者を識別する受信者識別情報と、該発信者識別情報と該受信者識別情報との組み合わせに対応するデータボックス番号とが対応付けられて登録された発着信者対応テーブル
を具備し、
前記発着信者対応テーブルに基づき前記所定のデータボックスを選定する
ことを特徴とする請求項１記載の通信端末装置。
【請求項１１】
前記発信者を識別する識別情報は、
該発信者の端末識別情報である
ことを特徴とする請求項２または請求項８記載の通信端末装置。
【請求項１２】
前記発信者を識別する識別情報は、
電話網における発信者電話番号通信サービスにより交換機から通知される該発信者の電話番号である
ことを特徴とする請求項２または請求項８記載の通信端末装置。
【請求項１３】
前記発信者を識別する識別情報は、
ＩＳＤＮにおける呼設定情報の発番号もしくは発サブアドレスの少なくとも一方である
ことを特徴とする請求項２または請求項８記載の通信端末装置。
【請求項１４】
前記受信者を識別する識別情報は、
ダイヤルイン番号である
ことを特徴とする請求項５または請求項８記載の通信端末装置。
【請求項１５】
前記受信者を識別する識別情報は、
ＩＳＤＮにおける着番号もしくは着サブアドレスの少なくとも一方である
ことを特徴とする請求項５または請求項８記載の通信端末装置。
【発明の詳細な説明】
【０００１】
【発明の属する技術分野】
この発明は、通信機能を有する通信端末装置に関し、特に、受信データを格納するデータボックスをユーザが選定できる通信端末装置に関する。
【０００２】
【従来の技術】
従来、メモリ受信、親展受信、付加情報表示等の受信処理をダイヤルイン番号毎に振り分けるダイヤルイン機能付きファクシミリ装置としては特開平０６−３０２１４号公報が知られている。
【０００３】
【発明が解決しようとする課題】
しかし、この従来技術では、受信データを蓄積するデータボックスの選定は送信側でしか行なえないため、受信側において、データの送信元に応じてデータボックスを選定するといったことはできず、また、受信側では、送信側が通信を行なう前にデータボックスのボックス番号またはパスワードを何らかの方法で送信側に通知しなければならず、多大な負担となっていた。
【０００４】
また、パスワードの通知が必要となる場合は、セキュリティ上の問題も生じていた。
【０００５】
そこで、この発明は、発信者側の意思を尊重しつつ、受信者側の意思で目的とするデータボックスに受信データを蓄積することのできる通信端末装置を提供することを目的とする。
【０００６】
【課題を解決するための手段】
上記目的を達成するため、請求項１の発明は、発信者により指定されたデータボックスに受信データを蓄積する通信機能を有し、該データボックスへの蓄積に際してパスワード等のセキュリティ情報の入力を要する通信端末装置において、前記発信者によりデータボックスの指定がない場合は、当該発信者からの受信データを予め設定されたルールに従って所定のデータボックスを選定する選定手段と、前記選定手段により選定されたデータボックスへのアクセスの制限を解除して前記受信データを該データボックスに蓄積する蓄積処理手段とを具備することを特徴とする。
【０００７】
また、請求項２の発明は、請求項１の発明において、前記選定手段は、前記発信者を識別する識別情報と該識別情報に対応するデータボックス番号とが対応付けられて登録された発信者対応テーブルを有し、前記発信者対応テーブルに基づき前記所定のデータボックスを選定することを特徴とする。
【０００８】
また、請求項３の発明は、請求項２の発明において、前記選定手段は、前記発信者対応テーブルに識別情報が登録されていない発信者からのデータを受信した場合若しくは識別情報が判別できない発信者からのデータを受信した場合は、予め設定された特定のデータボックスを選定することを特徴とする。
【０００９】
また、請求項４の発明は、請求項２の発明において、前記選定手段は、前記発信者対応テーブルに前記識別情報が登録されていない発信者からのデータを受信した場合若しくは識別情報が判別できない発信者からのデータを受信した場合は、前記所定のデータボックスを選定しないことを特徴とする。
【００１０】
また、請求項５の発明は、請求項１の発明において、前記選定手段は、受信者を識別する識別情報と該識別情報に対応するデータボックス番号とが対応付けられて登録された受信者対応テーブルを有し、前記受信者対応テーブルに基づき前記所定のデータボックスを選定することを特徴とする。
【００１１】
また、請求項６の発明は、請求項５の発明において、前記選定手段は、前記受信者対応テーブルに識別情報が登録されていない受信者へのデータを受信した場合若しくは識別情報が判別できない受信者へのデータを受信した場合は、予め設定された特定のデータボックスを選定することを特徴とする。
【００１２】
また、請求項７記載の発明は、請求項５の発明において、前記選定手段は、前記受信者対応テーブルに識別情報が登録されていない受信者へのデータを受信した場合若しくは識別情報が判別できない受信者へのデータを受信した場合は、前記所定のデータボックスを選定しないことを特徴とする。
【００１３】
また、請求項８の発明は、請求項１の発明において、前記選定手段は、前記発信者を識別する識別情報と該識別情報に対応するデータボックス番号とが対応付けられて登録された発信者対応テーブルと、受信者を識別する識別情報と該識別情報に対応するデータボックス番号とが対応付けられて登録された受信者対応テーブルとを具備し、前記発信者対応テーブルに基づき第１のデータボックスを選定するとともに、前記受信者対応テーブルに基づき第２のデータボックスを選定し、前記蓄積処理手段は、前記選定手段により選定された前記第１のデータボックスおよび前記第２のデータボックスにそれぞれ同一の受信データを蓄積することを特徴とする。
【００１４】
また、請求項９の発明は、請求項８の発明において、前記蓄積処理手段は、前記第１データボックスと前記第２のデータボックスが同一であった場合は、同一の受信データは１つだけ蓄積することを特徴とする。
また、請求項１０の発明は、請求項１の発明において、前記選定手段は、前記発信者を識別する発信者識別情報と、受信者を識別する受信者識別情報と、該発信者識別情報と該受信者識別情報との組み合わせに対応するデータボックス番号とが対応付けられて登録された発着信者対応テーブルを具備し、前記発着信者対応テーブルに基づき前記所定のデータボックスを選定することを特徴とする。
また、請求項１１の発明は、請求項２または８の発明において、前記発信者を識別する識別情報は、該発信者の端末識別情報であることを特徴とする。
また、請求項１２の発明は、請求項２または８の発明において、前記発信者を識別する識別情報は、電話網における発信者電話番号通信サービスにより交換機から通知される該発信者の電話番号であることを特徴とする。
また、請求項１３の発明は、請求項２または８の発明において、前記発信者を識別する識別情報は、ＩＳＤＮにおける呼設定情報の発番号もしくは発サブアドレスの少なくとも一方であることを特徴とする。
また、請求項１４の発明は、請求項５または８の発明において、前記受信者を識別する識別情報は、ダイヤルイン番号であることを特徴とする。
また、請求項１５の発明は、請求項５または８の発明において、前記受信者を識別する識別情報は、ＩＳＤＮにおける着番号もしくは着サブアドレスの少なくとも一方であることを特徴とする。
【００１５】
【発明の実施の形態】
以下、この発明に係わる通信端末装置の実施の形態を添付図面を参照して詳細に説明する。
【００１６】
なお、この発明に係る通信端末装置の一例として、親展通信機能を有するファクシミリ装置について説明する。
【００１７】
図１は、この発明に係わるファクシミリ装置の全体構成を示すものである。
【００１８】
図１において、ＣＰＵ１は、ファクシミリ装置全体の各種制御処理を行うものであり、ＲＡＭ２は、ＣＰＵ１のワークエリアとして使用される。
【００１９】
なお、ＣＰＵ１が実行する制御処理プログラム、および制御処理プログラムを実行するときに必要な各種データ等は、システム制御部８に記憶されている。
【００２０】
操作表示装置３は、このファクシミリ装置を操作するためのもので、各種の操作キー、および、各種の表示器からなる。また、読取装置４は、所定の解像度で送信原稿画像を読み取るためのものであり、印字装置５は、所定の解像度で画像を記録出力するためのものである。
【００２１】
画像処理装置６は、画信号を符号化圧縮するとともに、符号化圧縮されている画情報を元の画信号に復号化伸張するためのものであり、画像蓄積装置７は、符号化圧縮された状態の画情報を多数記憶し、親展ボックス機能を実現するためのものである。
【００２２】
通信制御部９は、デジタル網に適した通信を制御するためのプログラムを格納したＲＯＭであり、通信制御部１０は、アナログ網に適した通信を制御するためのプログラムを格納したＲＯＭである。また、デジタル網制御装置１１は、デジタル網へ接続するためのもので、アナログ網制御装置１３は、自動発着信機能を有しアナログ公衆網へ接続するためのものである。モデム１２は低速モードと高速モードとを備え、回線切り替え制御装置１５は、複数の外部回線インタフェースと複数の内部通信回路を接続する。
【００２３】
上記したこのファクシミリ装置の各構成要素は、それぞれシステムバス１４に接続され、これら各要素間でのデータのやりとりは、主としてこのシステムバス１４を介して行われている。
【００２４】
また、このファクシミリ装置には、画像蓄積装置７を利用して複数の親展ボックスが設けられており、システム制御部８には、受信した画像データに対して当該画像データを格納すべき特定の親展ボックスを選定するための規則が、ボックス選定テーブルとして記憶されている。
【００２５】
以下に、ボックス選定テーブルの例をあげる。
【００２６】
（実施例１）
この実施例における親展ボックスの選定は、発信者の電話番号を受信者に通知するというサービスに対応して為されるもので、受信時に加入者線交換機から送信されてくる発信者の電話番号に基づいて特定の親展ボックスを選定して受信画像データを蓄積するものである。
【００２７】
図２は、このボックス選定テーブルの一例を示したものである。
【００２８】
このボックス選定テーブルは、発信者の電話番号と親展ボックスのボックス番号を一対一で対応させている。
【００２９】
図２において、例えば、電話番号が「０３−１２３４−３３３３」である発信者からの画像データは、ボックス番号「ＭＢＯＸ  ０００３」の親展ボックスに蓄積される。電話番号が「０３−１２３４−１１１１」の発信者および「０３−１２３４−４４４４」の発信者からの受信画像データは、同一の親展ボックス「ＭＢＯＸ  ０００１」に蓄積される。
【００３０】
また、「＊（アスタリスク）」をワイルドカードとして用い、電話番号が「０４８」で始まる発信者から送信されてくる画像データは全てボックス番号「ＭＢＯＸ  ０００５」に蓄積する、ということもできる。
【００３１】
さらに、このボックス選定テーブルに登録されていない電話番号からの受信データは、一括してボックス番号「ＭＢＯＸ  ９９９９」に蓄積される。
【００３２】
図３は、図２のボックス選定テーブルに基づく親展ボックスの選定処理を説明するフローチャートである。
【００３３】
着信があると（ステップ１０１）、まず、各種プロトコル（Ｆコード、ＤＴＭＦ、ＮＳＦ等）によって発信者による親展ボックスの指定がされている通信であるか否かが判断される（ステップ１０２）。
【００３４】
発信者によって親展ボックスが指定されていれば（ステップ１０２でＹＥＳ）、指定された親展ボックスを選定し（ステップ１０３）、指定されていない場合は（ステップ１０２でＮＯ）、発信者番号を受信したか否かを判断する（ステップ１０４）。
【００３５】
発信者の番号通知拒否、公衆電話からの発信等の理由により、発信者番号が受信されなかった場合（ステップ１０４でＮＯ）、ある特定の親展ボックスを選定し（ステップ１０５）、発信者番号を受信した場合には、その番号を解析してボックス選定テーブルを参照し（ステップ１０６）、ボックス選定テーブルに当該発信者番号が登録されていれば（ステップ１０７でＹＥＳ）、その番号に対応して記憶された親展ボックスを選定し（ステップ１０９）、登録されていなければ（ステップ１０７でＮＯ）、ある特定の親展ボックスを選定する。
【００３６】
以上の処理によって、全てのケースで親展ボックスが選定され、選定された親展ボックスに受信した画像データを蓄積する。
【００３７】
なお、ステップ１０４およびステップ１０７でＮＯであった場合には、当該通信を拒否して回線を切断することもできる。
【００３８】
また、図２のボックス選定テーブルにおいて、発信者番号の代りに受信者の電話番号であるダイヤルイン番号に親展ボックスを一対一対応させることもでき、この場合の親展ボックスの選定処理も、図３に示すフローチャートで説明できる。
【００３９】
以上のように構成することによって
（１）送信側には何のアクションも必要とせず、受信側の意図する親展ボックスを任意に選定することができ、受信画像データの有効な活用が可能となる、
（２）親展通信のためのパスワードを発信者に通知する必要がなくなるので、パスワードが第三者に漏れる可能性が低くなり、親展ボックスの安全性が向上する。
【００４０】
（３）あくまでも受信側の意思によって親展ボックスにアクセスさせる相手を選定できるので、ダイレクトメール等のアクセスも完全に遮断させることができ、場合によっては通信を拒否することも可能とする
等の効果を奏する。
【００４１】
（実施例２）
この実施例における親展ボックスの選定は、発信者を識別する識別情報および受信者を識別する識別情報の一方若しくは両方に基づいて、少なくとも１つの特定の親展ボックスを選定して受信画像データを蓄積するものである。
【００４２】
図４は、ボックス選定テーブルの一例を示したものである。
【００４３】
このボックス選定テーブルは、発信者の電話番号と受信者のダイヤルイン番号との組み合わせに対して、特定の親展ボックスのボックス番号を対応させている。
【００４４】
図４において、例えば、電話番号「０３−１２３４−１１１１」の発信者から、ダイヤルイン番号「０３−１０００−０００１」の受信者に送られた画像データは、ボックス番号「ＭＢＯＸ  ０００１」に蓄積される。
【００４５】
このボックス選定テーブルに登録されていない発信者から、ダイヤルイン番号「０３−１０００−０００１」の受信者に送られた画像データは、ボックス番号「ＭＢＯＸ  ０００１」および「ＭＢＯＸ  ０００４」に蓄積される。
【００４６】
また、「＊（アスタリスク）」をワイルドカードとして用い、電話番号が「０４８」で始まる発信者からダイヤルイン番号「０３−１０００−０００１」に送信されてくる画像データは全てボックス番号「ＭＢＯＸ  ０００５」に蓄積する、ということもできる。
【００４７】
さらに、このボックス選定テーブルで想定されていない組み合わせの発信者から受信者への画像データ、および未登録の発信者から未登録の受信者への画像データは、一括してボックス番号「ＭＢＯＸ  ９９９９」に蓄積される。
【００４８】
なお、発信者を識別する識別情報としては、上記した一般の電話網（ＰＳＴＮ）における電話番号の他に、ＩＴＵ−Ｔ「Ｔ．３０」勧告で定義されている端末識別情報（リモートＩＤ）、ＮＴＴが提供しているＩＳＤＮサービスにおける発番号および発サブアドレス等が利用できる。また、受信者を識別する識別情報としては、上記したダイヤルイン番号の他に、ＮＴＴが提供しているＩＳＤＮサービスにおける着番号および着サブアドレス等が利用できる。
【００４９】
さらに、発信者のアクセスが制限されている親展ボックスでも、制限されるのは発信者サイドから当該親展ボックスを指定した場合に限り、発信者の指定がなく上記のボックス選定テーブルによって当該親展ボックスが選定された場合にはアクセスを制限されない。
【００５０】
また、この発明は、上記のファクシミリ装置に限ったものではなく、親展通信機能を有する通信端末装置、通信システム、メールボックス装置、メールサーバ等にも応用できる。例えば、近年、インターネットを利用したインターネットファクシミリ装置が見うけられるが、このような装置においてもこの発明を応用することができる。
【００５１】
【発明の効果】
以上説明したように、この発明によれば、発信側のボックス指定によるボックス選定だけでなく、受信側の設定によるボックス選定を行なうことが可能となるという効果を奏する。
【図面の簡単な説明】
【図１】この発明に係るファクシミリ装置の構成図である。
【図２】ボックス選定テーブルの一例を示す図である。
【図３】図２のボックス選定テーブルに基づく親展ボックス選定の流れを示すフローチャートである。
【図４】ボックス選定テーブルの一例を示す図である。
【符号の説明】
１    ＣＰＵ
２    ＲＡＭ
３    操作表示装置
４    読取装置
５    印字装置
６    画像処理装置
７    画像蓄積装置
８    システム制御部
９    通信制御部
１０    通信制御部
１１    デジタル網制御装置
１２    モデム
１３    アナログ網制御装置
１４    システムバス
１５    制御装置
【図１】
0003882494.tif 000002
【図２】
0003882494.tif 000003
【図３】
0003882494.tif 000004
【図４】
0003882494.tif 000005